(57)【要約】【課題】  ベビーカーやシルバーカー、ショッピングカー等、コ字形状のハンドルを有する手押し車において、防寒を成すためのハンドルカバーを提供する。【解決手段】低通気性の柔軟素材からなる矩形状のハンドルカバー本体（１）の裏面の端部に環状の挿入帯（２）を設け、対向する他端部に１対の羽（３）（３’）を設けており、挿入帯（２）の外側には係着部材の一方（４）を設け、ハンドルカバー本体（１）の他端部の裏面側には係着部材の他方（５）を設け、また、羽（３）（３’）の裏面側には係着部材の一方（６）（６’）をそれぞれ設け、ハンドルカバー本体（１）の端部の表面側には係着部材の他方（７）（７’）をそれぞれ設けており、ハンドルカバー本体（１）の裏面側を手押し車のハンドルに巻き付け、係着部材（４）（５）を係着し、さらに係着部材（６）（７）および（６’）（７’）を係着して装着することを特徴とする。【選択図】図１
2006137402.tif 000002
【特許請求の範囲】
【請求項１】
ベビーカーやシルバーカー、ショッピングカー等、コ字形状のハンドルを有する手押し車において、防寒を成すためのハンドルカバーであって、低通気性の柔軟素材からなる矩形状のハンドルカバー本体（１）の裏面の端部に環状の挿入帯（２）を設け、対向する他端部に１対の羽（３）（３’）を設けており、挿入帯（２）の外側には係着部材の一方（４）を設け、ハンドルカバー本体（１）の他端部の裏面側には係着部材の他方（５）を設け、また、羽（３）（３’）の裏面側には係着部材の一方（６）（６’）をそれぞれ設け、ハンドルカバー本体（１）の端部の表面側には係着部材の他方（７）（７’）をそれぞれ設けており、ハンドルカバー本体（１）の裏面側を手押し車のハンドルに巻き付け、係着部材（４）（５）を係着し、さらに係着部材（６）（７）および（６’）（７’）を係着して装着することを特徴とする手押し車用ハンドルカバー。
【請求項２】
ハンドルカバー本体（１）の裏面側および環状の挿入帯（２）の内側に保温素材（１０）を設けたことを特徴とする請求項１記載の手押し車用ハンドルカバー。
【請求項３】
挿入帯（２）とハンドルカバー本体（１）とからなる環状部の周上に保温素材（８）を設け、また、挿入帯（２）から羽（３）（３’）にかけて、ハンドルカバー本体（１）の辺上に保温素材（９）（９’）を設けたことを特徴とする請求項１および２記載の手押し車用ハンドルカバー。
【請求項４】
挿入帯（２）の内側中央部に係着部材の一方（１１）を設け、ハンドルカバー本体（１）の端部の裏面側中央部に係着部材の他方（１２）を設けたことを特徴とする請求項１ないし３記載の手押し車用ハンドルカバー。
【発明の詳細な説明】
【技術分野】
【０００１】  本発明は、ベビーカーやシルバーカー、ショッピングカー等、コ字形状のハンドルを有する手押し車において、防寒を成すためのハンドルカバーに関するものである。
【背景技術】
【０００２】  ベビーカーやシルバーカー、ショッピングカー等の手押し車は、一般にコ字形状のハンドルを有している。コ字形状のハンドルに装着可能な防寒用カバーは市販では見当たらず、寒冷時には、操作者は手袋等を着用してからこれらの手押し車を操作している。【０００３】  また、コ字形状のハンドルに装着可能な防寒用ハンドルカバーとして、次のような技術が開示されている。実開平６−３８９５７号公報に示されるものは、コ字形状ハンドルを被覆するように挿入可能で、かつ操作者が両手を挿入可能な環状被覆部と、コ字形状ハンドルに着脱可能に固定する固定部と、を備えている。しかしながら、コ字形状ハンドルを有する手押し車にあって、ベビーカーの多くは持ち運びや収納の便を考慮してハンドルの中央部で折りたためる構造となっているが、このハンドルカバーでは折りたたみ操作部を被覆してしまうため操作し難く、また、ハンドルカバーの厚さが邪魔になり折りたたむことができなかったり、ハンドルカバーの型崩れが生じたりしてしまう。また、コ字形状ハンドルの握り部を全て被覆してしまうため、ベビーカーの操作者によく見受けられる行為である、Ｓ字フックを介して手荷物やバッグ等をハンドルに掛けることもできないという問題があった。さらに、コ字形状ハンドルの握り部の幅は手押し車の用途や機種によりさまざまであり、汎用的に対応可能なハンドルカバーを製作することが困難である。
【特許文献１】実開平６−３８９５７号公報
【発明の開示】
【発明が解決しようとする課題】
【０００４】  解決しようとする問題点は、ベビーカーやシルバーカー、ショッピングカー等、コ字形状のハンドルを有する手押し車の防寒用ハンドルカバーにおいて、Ｓ字フックを介して手荷物やバッグ等をハンドルに掛けることができない点、及びさまざまな機種に汎用的に対応できない点である。
【課題を解決するための手段】
【０００５】  本発明に係る手押し車用ハンドルカバーは、低通気性の柔軟素材からなる矩形状のハンドルカバー本体（１）の裏面の端部に環状の挿入帯（２）を設け、対向する他端部に１対の羽（３）（３’）を設けており、挿入帯（２）の外側には係着部材の一方（４）を設け、ハンドルカバー本体（１）の他端部の裏面側には係着部材の他方（５）を設け、また、羽（３）（３’）の裏面側には係着部材の一方（６）（６’）をそれぞれ設け、ハンドルカバー本体（１）の端部の表面側には係着部材の他方（７）（７’）をそれぞれ設けており、ハンドルカバー本体（１）の裏面側を手押し車のハンドルに巻き付け、係着部材（４）（５）を係着し、さらに係着部材（６）（７）および（６’）（７’）を係着して装着することを特徴とする。【０００６】  また、ハンドルカバー本体（１）の裏面側および環状の挿入帯（２）の内側に保温素材（１０）を設けても良く、さらに挿入帯（２）とハンドルカバー本体（１）とからなる環状部の周上に保温素材（８）を設け、また、挿入帯（２）から羽（３）（３’）（３’）にかけて、ハンドルカバー本体（１）の辺上に保温素材（９）（９’）を設けても良い。さらに、両手用のハンドルカバーとして、挿入帯（２）の内側中央部に係着部材の一方（１１）を設け、ハンドルカバー本体（１）の端部の裏面側中央部に係着部材の他方（１２）を設けても良い。
【発明の効果】
【０００７】  本発明に係る手押し車用ハンドルカバーは、左右１対のものをそれぞれコ字形状のハンドルに装着するので、持ち運びや収納の便を考慮してハンドル中央部に折りたたみ操作部のあるハンドルでも、その操作部をハンドルカバーで被覆することがなく、用意に折りたたみ操作が行なえる。また、左右のハンドルカバーの間やそれらの外側に露出するハンドル握り部に、Ｓ字フックを介して手荷物やバッグ等を掛けることができる。また、ハンドル握り部の幅に依存することなく、各種用途の手押し車のさまざまな機種に汎用的に装着することができる。さらに、左右のハンドルカバーの形状が同じであり、ハンドルカバーを構成する素材が、矩形状のハンドルカバー本体（１）と、挿入帯（２）、１対の羽（３）（３’）、係着部材とからなり、素材の裁断残が少なく、縫製作業も容易であることから、安価に製作することができる。【０００８】  また、ハンドルカバー本体（１）の裏面側および環状の挿入帯（２）の内側に保温素材（１０）を設けることにより、防寒性を高めることができ、また、挿入帯（２）とハンドルカバー本体（１）とからなる環状部の周上に保温素材（８）を設けることにより、手首の防寒性をさらに高めることができ、また、挿入帯（２）から羽（３）（３’）にかけてのハンドルカバー本体（１）の辺上に保温素材（９）（９’）を設けることにより、ハンドルに巻き付けた状態での隙間が少なくなり、さらに防寒性を高めることができる。【０００９】  また、シルバーカー、ショッピングカー等、ハンドル中央部に折りたたみ操作部のないハンドルでは、ハンドルカバー本体（１）の幅を広くし環状部を大きくすることで、一つのハンドルカバーに両手を挿入することも可能である。このハンドルカバーも握り部の幅に依存することなく汎用的に装着することができ、また、ハンドルカバーを構成する素材が、矩形状のハンドルカバー本体（１）と、挿入帯（２）、１対の羽（３）（３’）、係着部材とからなり、素材の裁断残が少なく、縫製作業も容易であることから、安価に製作することができる。
【発明を実施するための最良の形態】
【００１０】  ハンドルカバー本体（１）及び環状の挿入帯（２）、１対の羽（３）（３’）に用いる素材は、皮革または合成皮革、ナイロン生地、ビニール、布地等で、一般にカバンやバッグ、衣類等に用いられる低通気性の柔軟素材であれば良く、また、保温素材（８）（９）（９’）（１０）は、フエルト生地、ボア、フリース、毛皮、ウール等、厚手で柔らかく、手肌に優しい素材を好ましく用いることができる。また、係着部材（４）（５）（６）（６’）（７）（７’）（１１）（１２）は、面ファスナー、ホック、マグネットホック等で、一般にカバンやバッグ、衣類等に用いられる係着部材を用いることができる。
【実施例１】
【００１１】  図１は本発明に係る手押し車用ハンドルカバーの展開図である。矩形状のハンドルカバー本体（１）の裏面の端部に環状の挿入帯（２）を、対向する他端部に１対の羽（３）（３’）を設けており、それぞれの素材は同じ合成皮革である。また、挿入帯（２）の外側には係着部材として面ファスナーであるループ状のマジックテープ（商標名）（４）を設け、ハンドルカバー本体（１）の他端部の裏面側にはホック状のマジックテープ（５）を設け、また、羽（３）（３’）の裏面側にはホック状のマジックテープ（６）（６’）をそれぞれ設け、ハンドルカバー本体（１）の端部の表面側にはループ状のマジックテープ（７）（７’）をそれぞれ設けている。さらに、ハンドルカバー本体（１）の裏面側および挿入帯（２）の内側に保温素材として毛足の短い（毛長：１０ｍｍ）ボア（１０）を縫い付け、挿入帯（２）とハンドルカバー本体（１）とからなる環状部の周上と、挿入帯（２）から羽（３）（３’）にかけて、ハンドルカバー本体（１）の辺上とに保温素材として毛足の長い（毛長：３５ｍｍ）ボア（８）（９）（９’）を設けている。【００１２】  図２は、上記のハンドルカバーの裏面側をベビーカーのハンドルに巻き付け、マジックテープ（４）（５）を係着し、さらにマジックテープ（６）（７）および（６’）（７’）を係着して装着した使用例を示す図である。
【実施例２】
【００１３】  図３はシルバーカー、ショッピングカー等、ハンドル中央部に折りたたみ操作部のないハンドルで使用可能なハンドルカバーの展開図である。矩形状のハンドルカバー本体（１）の裏面の端部に環状の挿入帯（２）を、対向する他端部に１対の羽（３）（３’）を設けており、それぞれの素材は同じ合成皮革である。また、挿入帯（２）の外側にはループ状のマジックテープ（４）を設け、ハンドルカバー本体（１）の他端部の裏面側にはホック状のマジックテープ（５）を設けている。ここでマジックテープ（４）（５）は、係着部材として矩形状のハンドルカバー本体の両端部を係着するために設けられるものであり、経済性を考慮してその使用長を短くするために、複数の断片に分割して設けても良い。また、羽（３）（３’）の裏面側にはホック状のマジックテープ（６）（６’）をそれぞれ設け、ハンドルカバー本体（１）の端部の表面側にはループ状のマジックテープ（７）（７’）をそれぞれ設けている。また、ハンドルカバー本体（１）の裏面側および挿入帯（２）の内側に保温素材として毛足の短い（毛長：１０ｍｍ）ボア（１０）を縫い付け、挿入帯（２）とハンドルカバー本体（１）とからなる環状部の周上と、挿入帯（２）から羽（３）（３’）にかけて、ハンドルカバー本体（１）の辺上とに保温素材として毛足の長い（毛長：３５ｍｍ）ボア（８）（９）（９’）を設けている。さらに、挿入帯（２）の内側中央部に係着部材としてマグネットホックの一方（１１）を設け、ハンドルカバー本体（１）の端部の裏面側中央部にマグネットホックの他方（１２）を設けている。【００１４】  図２は、上記のハンドルカバーの裏面側をシルバーカーのハンドルに巻き付け、マジックテープ（４）（５）を係着し、さらにマジックテープ（６）（７）および（６’）（７’）を係着して装着した使用例を示す図である。
【産業上の利用可能性】
【００１５】  ベビーカーやシルバーカー、ショッピングカー等、コ字形状のハンドルを有する手押し車に、防寒用ハンドルカバーとして汎用的に適用できる。
【図面の簡単な説明】
【００１６】
【図１】本発明に係る手押し車用ハンドルカバーの展開図である。（実施例１）
【図２】本発明に係る手押し車用ハンドルカバーの使用例を示す図である。（実施例１）
【図３】本発明に係る手押し車用ハンドルカバーの展開図である。（実施例２）
【図４】本発明に係る手押し車用ハンドルカバーの使用例を示す図である。（実施例２）
【符号の説明】
【００１７】  １    ハンドルカバー本体
２    挿入帯
３    羽
４    係着部材（マジックテープ）
５    係着部材（マジックテープ）
６    係着部材（マジックテープ）
７    係着部材（マジックテープ）
８    保温素材（ボア）
９    保温素材（ボア）
１０    保温素材（ボア）
１１    係着部材（マグネットホック）
１２    係着部材（マグネットホック）
【図１】
2006137402.tif 000003
【図２】
2006137402.tif 000004
【図３】
2006137402.tif 000005
【図４】
2006137402.tif 000006